(57)【要約】【課題】高所作業の安全性が向上すると共に、桁への組付け及び桁からの切り離しを簡単に行える、桁用足場装置を提供すること。【解決手段】桁１０のウェブ１１の側面に回動可能に軸支された複数の支持アーム３０と、複数の支持アーム３０の間に架け渡された足場板４０とを具備し、支持アーム３０は足場板４０の展開時に足場板４０の全体を下フランジ１３の延長上に張出し可能な全長を有し、複数の支持アーム３０を介して足場板４０が桁１０に片持ちで支持されている。【選択図】図２
2018048506.tif 000002
【特許請求の範囲】
【請求項１】
ウェブと上下フランジを有する断面Ｈ形を呈する桁の側面に折畳自在に付設された足場板を有する桁用足場装置であって、
前記桁のウェブの側面であって桁方向に間隔を隔てて回動可能に軸支された複数の支持アームと、
前記複数の支持アームの間に架け渡された足場板とを具備し、
前記支持アームは足場板の展開時に足場板の全体を下フランジの延長上に張出し可能な全長を有し、
前記複数の支持アームを介して足場板が桁に片持ちで支持されていることを特徴とする、
桁用足場装置。
【請求項２】
足場板の展開時に支持アームを軸支する支軸と、支持アームの一部が桁の下フランジに当接する当接部の二箇所で足場板の載荷重が分散して支持されることを特徴とする、請求項１に記載の桁用足場装置。
【請求項３】
足場板の展開時に足場板の内面が桁の下フランジに隣接するように、前記複数の支持アームの間に足場板が架け渡されていることを特徴とする、請求項１又は２に記載の桁用足場装置。
【請求項４】
足場板の展開時に足場板の内面が桁の下フランジから離隔するように、前記複数の支持アームの間に足場板が架け渡されていることを特徴とする、請求項１又は２に記載の桁用足場装置。
【請求項５】
前記支持アームが足場板を搭載可能な高剛性のアーム本体と、前記アーム本体と協働して足場板を把持する帯状の押え板とを有し、アーム本体の基端が支軸を介して桁のウェブの側面に突設した支持部材に回動可能に軸支され、足場板の格納時に連結材を介して桁のウェブの側面に突設した支持部材にアーム本体の自由端の仮固定が可能であることを特徴とする、請求項１乃至４の何れか一項に記載の桁用足場装置。
【請求項６】
前記支持部材が主桁のウェブの側面に同一の鉛直線上に突設した下位ブラケットと上位ブラケットの組み合せであることを特徴とする、請求項５に記載の桁用足場装置。
【請求項７】
前記支持部材が主桁のウェブの側面に縦方向に設けた補剛材であることを特徴とする、請求項５に記載の桁用足場装置。
【請求項８】
桁に沿ってウェブの片面又は両面に横列されていることを特徴とする、請求項１乃至７にの何れか一項に記載の桁用足場装置。
【発明の詳細な説明】
【技術分野】
【０００１】
本発明は折り畳み可能な足場板を具備した桁用足場装置に関するものである。
【背景技術】
【０００２】
主桁や横桁を使用する鋼橋工事等においては、主桁に予め付設した作業足場を利用して高所作業を行っている。
作業足場には、スカイハンガーと称せられる吊り式足場装置が知られている。
この吊り式足場装置は、作業床が主桁より低い位置になるため、高低差が大きく作業員が乗り移りする際の危険度が高いことにくわえて、作業範囲が狭いといった問題を有している。
【０００３】
この問題を解決するため、特許文献１には主桁に足場板を折り畳み可能に取り付けた足場装置が開示されている。
図８を参照して詳しく説明すると、この足場装置は断面Ｈ形を呈する桁材ａの片側の上下のフランジｂ，ｃ間に単管ｄを取り付け、この単管ｄの下方に足場板ｅの一側端を軸支すると共に、単管ｄの中間部と足場板ｅの自由端との間にリンク式の斜材ｆを連結した構造になっていて、斜材ｆを折り畳むことで足場板ｅが主桁ａに格納され、主桁ａの側方に張り出した足場板ｅを伸長状態の斜材ｆが吊り支える構造になっている。
【先行技術文献】
【特許文献】
【０００４】
【特許文献１】特開平１０−８７２４号公報
【発明の概要】
【発明が解決しようとする課題】
【０００５】
従来の折畳式の足場装置はつぎの問題点を有する。
＜１＞足場板ｅの軸支部側が主桁ａを構成する上下のフランジｂ，ｃの内側に入り込んでいるため、展開した足場板ｅの一部と下フランジｃの一部が重合し合う構造となっている。
そのため、主桁ａの下フランジｃを歩行面として利用できないだけでなく、足場板ｅの歩行面も主桁ａの内部に入り込んでいるために実質的に歩行可能な歩行面積が狭いものとなる。くわえて足場板ｅを吊り支える斜材ｆが歩行の障害になっている。
そのため、従来の折畳式足場装置は作業者が歩行し難く、高所作業の安全性が脅かされている。
＜２＞足場板ｅと下フランジｃの間に高低差がありこの間に大きな隙間を生じている。この隙間を通じて工具類や建設資材等の落下事故を誘発しやすい。
＜３＞足場装置の組付けにあたり、主桁ａに単管ｄを取り付けたり、足場板ｅに孔開け加工等を施したり、係止機構ｆを取り付けしたりする必要があり、足場装置の加工と取り付けに多くの時間とコストがかかる。
＜４＞折り畳んだ足場板ｅの保持機構を有していないために、運搬中に足場板ｅが不用意に展開し易く、足場板ｅが損傷し易い。
＜５＞足場板ｅが主桁ａの単管にｄに直接取り付けられているため、足場板ｅの交換に手数を要するだけでなく、足場板ｅの解体撤去にも多くの時間と労力を要する。
【０００６】
本発明は以上の点に鑑みて成されたもので、その目的とするところは、高所作業の安全性が向上すると共に、桁への組付け及び桁からの切り離しを簡単に行える、桁用足場装置を提供することにある。
【課題を解決するための手段】
【０００７】
本発明は、ウェブと上下フランジを有する断面Ｈ形を呈する桁の側面に折畳自在に付設された足場板を有する桁用足場装置であって、前記桁のウェブの側面であって桁方向に間隔を隔てて回動可能に軸支された複数の支持アームと、前記複数の支持アームの間に架け渡された足場板とを具備し、前記支持アームは足場板の展開時に足場板の全体を下フランジの延長上に張出し可能な全長を有し、前記複数の支持アームを介して足場板が桁に片持ちで支持されている。
本発明の他の形態において、足場板の展開時に支持アームを軸支する支軸と、支持アームの一部が桁の下フランジに当接する当接部の二箇所で足場板の載荷重が分散して支持される。
本発明の他の形態において、足場板の展開時に足場板の内面が桁の下フランジに隣接するように、又は足場板の内面が桁の下フランジから離隔するように、前記複数の支持アームの間に足場板が架け渡されている。
本発明の他の形態において、前記支持アームが足場板を搭載可能な高剛性のアーム本体と、前記アーム本体と協働して足場板を把持する帯状の押え板とを有し、アーム本体の基端が支軸を介して桁のウェブの側面に突設した支持部材に回動可能に軸支され、足場板の格納時に連結材を介して桁のウェブの側面に突設した支持部材にアーム本体の自由端の仮固定が可能である。
本発明の他の形態において、前記支持部材が主桁のウェブの側面に同一の鉛直線上に突設した下位ブラケットと上位ブラケットの組み合せであるか、又は主桁のウェブの側面に縦方向に設けた補剛材である。
桁用足場装置は桁に沿ってウェブの片面又は両面に横列されている。
【発明の効果】
【０００８】
本発明はつぎの効果を奏する。
＜１＞足場板の展開時に足場板の全体を下フランジの外方に張出しできると共に、足場板を搭載した支持フレームが桁に片持ち支持構造であるため足場板の上面に突出物が存在しない。
桁の側方に展開した足場板の上面全面を歩行面として使用できるだけでなく、桁の下フランジ面全面も歩行面として使用できて歩行の安心感がさらに高まり、高所作業の安全性が格段に向上する。
＜２＞足場板の展開時に、下フランジから外方に張り出した支持アームを支軸と下フランジの二点で支持するため、足場板を安定した姿勢で支持できるだけでなく、足場板に負荷する載荷重を分散して支持できる。
＜３＞桁のウェブに対して複数の支持フレームを着脱するだけの簡単な作業で以て足場装置の組付け、解体撤去を迅速に行える。
＜４＞足場板の展開時に足場板の内面が桁の下フランジに隣接するように複数の支持アームの間に足場板が架け渡されていると、足場板と下フランジとの間に大きな隙間が生じないため、工具類や建設資材等の落下事故を未然に防止できる。
＜５＞足場板の展開時に足場板の内面が桁の下フランジから離隔するように複数の支持アームの間に足場板が架け渡されていると、足場板の横幅を拡張した場合と同等に歩行がし易くなる。
＜６＞足場板を支持アームに把持させて固定するので、足場板に一切の加工が不要であり、足場板の交換も簡単に行える。
【図面の簡単な説明】
【０００９】
【図１】複数組の足場装置を組み付けた主桁の側面図
【図２】足場装置の分解組立図
【図３】図１におけるIII-IIIの断面図
【図４】主桁の補剛材に足場装置を取り付けた主桁の下部の断面図
【図５】複数の足場装置の境界部の平面図
【図６】他の実施例に係る足場装置を組み付けた主桁の下半の断面図
【図７】押え板の斜視図
【図８】従来の折畳式足場装置を付設した主桁の断面図
【発明を実施するための形態】
【００１０】
以下に図面を参照しながら本発明を詳細に説明する。
【００１１】
＜１＞主桁
主桁１０は断面Ｈ形を呈していて、縦方向にのびるウェブ１１と、ウェブ１１の上下端に水平に張り出した上フランジ１２、下フランジ１３とを有する。
本例では桁が主桁１０である場合について説明するが、桁は主桁１０に限定されず公知の各種桁に適用が可能である。
【００１２】
＜２＞桁用足場装置の概要
桁用足場装置（以下「足場装置」という）２０は、主桁１０のウェブ１１に軸支した複数の支持アーム３０と、両端を複数の支持アーム３０に把持させて架け渡した足場板４０とを具備する。
足場板４０は複数の支持アーム３０を介して足場板４０の全体を下フランジ１３の延長上に張出して展開可能であると共に、足場板４０の全体を上下フランジ１２，１３内に格納可能である。
本例では主桁１０のウェブ１１の両側に足場装置２０を取り付ける形態について説明するが、主桁１０のウェブ１１の片側のみに足場装置２０を取り付けてもよい。
【００１３】
＜３＞支持アーム
図２を参照して説明すると、支持アーム３０は足場板４０を搭載可能な高剛性のアーム本体３１と、足場板４０を拘束する帯状の押え板３５とを有する。
【００１４】
＜３．１＞アーム本体
アーム本体３１は足場板４０を載置する高剛性のアームであり、足場板４０の横幅より長い全長を有する。
図２，３に例示したアーム本体３１について説明すると、アーム本体３１は全体形状がコ字形を呈していて、基板３２の上面の両端部に立設した一対の起立片３３，３３と、起立片３３，３３の内方で基板３２と平行に形成した支持片３４，３４とを具備する。
基板３２は足場板４０を載置する剛性板である。
起立片３３，３３は鉤形を呈する板体であり、基板３２の上面の両端部に起立状態で立設されている。
一対の支持片３４，３４は押え板３５の両端部を搭載するための支持部材である。
一対の支持片３４，３４の間には足場板４０を収容可能な空間が形成されている。
各起立片３３はその板面に連結孔３３ａを有し、各支持片３４，３４はその板面にボルト孔３４ａを有している。
【００１５】
＜３．２＞押え板
アーム本体３１と協働して足場板４０を把持する帯状の押え板３５は、一対の支持片３４，３４の間に掛け渡し可能な長さを有し、その両端部にボルト孔３５ａが設けてある。押え板３５は取付ボルト３６を介して支持片３４に着脱可能である。
【００１６】
＜４＞支持アームの取付構造
支持アーム３０は主桁１０のウェブ１１に対して回動可能に軸支されていると共に、主桁１０内に格納するときに仮固定ができるように取り付けられている。
図２，３に例示した支持アーム３０の取付構造について説明する。
【００１７】
＜４．１＞ウェブ側の支持部材
主桁１０のウェブ１１の側面には、支持アーム３０を取り付けるための上下一対の下位ブラケット１４と上位ブラケット１５とを１組とする複数組のブラケットが主桁の長手方向に沿って、足場板４０の全長とほぼ等しい間隔を隔てて突設されている。
各下位ブラケット１４と上位ブラケット１５は同一の鉛直線上に位置する。
連結孔１４ａを有する下位ブラケット１４は下フランジ１３に近い位置に取り付けられ、係留孔１５ａを有する上位ブラケット１５は下フランジ１３から離れた位置に取り付けられている。
【００１８】
本例では支持アーム３０を支持するウェブ１１側の支持部材が独立したブラケット１４，１５である場合について説明するが、図４に示すように主桁１０のウェブ１１の側面に縦方向に設けたスチフナ―と称される補鋼材１６に連結孔１６ａと係留孔１６ｂを設けてもよい。
主桁１０の支持部材は足場板４０の全長に応じて、図２に示した上下一対のブラケット１４，１５の組み合せ、又は図４に示した補鋼材１６を適宜使い分けすればよい。
【００１９】
＜４．２＞支軸による支持アームの軸支構造
支持アーム３０は横向きの支軸３７を介して下位ブラケット１４に回動可能に取り付けられている。
具体的には、アーム本体３１の一方の起立片３３がウェブ１１の下位ブラケット１４に重合し、その重合部に支軸３７を貫挿することで、支持アーム３０の基端がウェブ１１に軸支されている。
支軸３７による支持アーム３０の軸支位置は、足場板４０の展開時に、支持アーム３０の基板３２の一部が下フランジ１３の上面に着床（当接）してそれ以上の支持アーム３０の回動を規制できる位置に設けられている。
ここで重要なことは、支持アーム３０の軸支部（支軸３７）が下フランジ１３と支持アーム３０の当接部より高い位置関係にあることである。
【００２０】
＜４．３＞連結材による支持アームの仮固定構造
足場装置２０の展開時においては、支持アーム３０の基板３２の一部が下フランジ１３の上面に着床（当接）可能であり、足場装置２０の格納時においては、支持アーム３０の自由端の起立片３３が、ボルト又はピン等の連結材３８を介して上位ブラケット１５に仮固定が可能である。
【００２１】
＜４．４＞足場板の張出位置
支持アーム３０に対する足場板４０の載置位置は、図３に示すように足場板４０の展開時において下フランジ１３の外方に足場板４０の全体が張り出すように載置されている。
本例では下フランジ１３の外縁の真上に足場板４０の内縁が位置し、下フランジ１３との間にほとんど隙間がない状態で足場板４０を張り出した形態を示す。
【００２２】
＜５＞足場板
足場板４０は複数の支持アーム３０を介してが主桁１０に片持ちで支持される。
足場板４０には市販の足場板を使用でき、軽量な金属製足場が望ましい。
本例では一対の支持アーム３０，３０の間に一枚の足場板４０を架け渡す場合について説明するが、一対の支持アーム３０，３０の間に複数の足場板４０を横列させて掛け渡すことも可能である。
本発明では足場板４０の両端部を支持アーム３０，３０に挟持させて固定するため、足場板４０に特別な加工を施す必要がまったくなく、そのまま使用できる。
【００２３】
［足場装置の使用方法］
【００２４】
＜１＞足場装置の組付け
図２，３等を参照して主桁１０の側面に足場装置２０を組付ける方法について説明する。
支持アーム３０の基端を主桁１０の下位ブラケット１４に軸支する。
具体的には、アーム本体３１の一方の起立片３３をウェブ１１の下位ブラケット１４に重合させ、その重合部に支軸３７を挿入して軸支する。
ウェブ１１の側面の複数箇所にアーム本体３１を軸支する。
一対のアーム本体３１，３１の間に足場板４０を架け渡し、足場板４０の端部上面に押え板３５を被せて取付ボルト３６で締め付けて足場板４０をスライド不能に固定する。
主桁１０に沿って順次複数の足場装置２０を組み付ける。
主桁１０に沿って複数の足場装置２０を連続的に組み付ける場合、下位ブラケット１４と支軸３７等を共有させてもよいし、共有させないで組み立てもよい。
【００２５】
以上は支持アーム３０を主桁１０に先行して取り付け、その後に支持アーム３０，３０の間に足場板４０を組み付ける場合について説明したが、先行して足場板４０の両端に複数の支持アーム３０，３０を取り付け、その後に足場板４０と一体の支持アーム３０，３０を主桁１０に取り付けるようにしてもよい。
【００２６】
このように、主桁１０のウェブ１１に所定の間隔を隔てて複数の支持アーム３０を取り付け、隣り合う支持アーム３０の間に掛け渡した足場板４０を把持して固定するだけの簡単な作業で足場装置２０を取り付けできる。
【００２７】
＜２＞足場板の格納操作
足場板４０を主桁１０の内空に格納するには、足場板４０がウェブ１１と平行になるまで手で持ち上げる。足場板４０の持ち上げに伴い、支軸３７を中心に一対の支持アーム３０，３０と足場板４０が一体に回動する。
足場板４０が縦向きになるまで回動したら、一対の支持アーム３０，３０の自由端の起立片３３と上位ブラケット１５の重合部の両孔３３ａ，１５ａに連結材３８を差し込んで仮固定する。
【００２８】
図３の左方の足場装置２０が主桁１０に格納した状態を示している。
格納状態の足場装置２０は支軸３７と連結材３８を介してウェブ１１の側面に回動不能な状態で保持される。
足場装置２０の格納時においては、足場板４０だけでなく支持アーム３０も主桁１０の内空に格納されるので、足場装置２０の構成部材が主桁１０の上下フランジを越えて外部にはみ出すことはない。
したがって、主桁１０を搬送車両に搭載する際に足場装置２０が邪魔にならない。複数の主桁１０を隣接させて積み込んでも足場装置２０を損傷させずに現場まで搬送できる。
【００２９】
＜３＞足場板の展開操作
主桁１０の吊り上げ前に以下の展開操作を行って足場板４０を展開する。
地上において連結材３８を抜き取り、支軸３７を中心に足場板４０を下方へ回動させるだけで主桁１０の下フランジ１３の延長上に足場板４０を展開することができる。
図３の右方の足場装置２０が主桁１０から水平に展開した状態を示している。
支軸３７を中心に支持アーム３０が下方へ向けて回動し、支持アーム３０の基板３２の下面が下フランジ１３の上面に当接することで回動が規制される。
足場板４０が下フランジ１３の延長上に張り出す位置に合せて、支持アーム３０の回動が制限されるように構成されている。
【００３０】
主桁１０に沿って付設した複数の足場装置２０を展開する場合は、図５に示すようにボルトやピン等の連結材３８を差し込んで隣り合う支持アーム３０，３０の自由端の間を連結するとよい。
隣り合う足場装置２０の間を連結することで、主桁１０に沿って配列した複数の足場板４０に連続性を持たせることができて、足場板４０の安定性が格段に向上する。
【００３１】
＜４＞横桁の架設作業
主桁１０を架設した後、隣り合う主桁１０の間に横桁（図示を省略）を架設する。
主桁１０に付設した複数の足場装置２０を使用して横桁の架設作業を行う。
【００３２】
＜４．１＞足場面積
展開した各足場装置２０の足場板４０が主桁１０の下フランジ１３の外方に張り出ているため、足場板４０の上面全面を歩行面として使用できるだけでなく、主桁１０の下フランジ１３の片面全面も歩行面として使用できるので、作業者の安心感がさらに高まる。
更に主桁１０に沿って連なる複数の足場板４０に亘って歩行の障害となる突出物が存在せずにフラットな歩行面が形成されている。
そのため、従来と比べて高所作業を安全に行うことができる。
更に足場板４０と下フランジ１３との間に大きな隙間が生じないため、工具類や建設資材等の落下事故を未然に防止することもできる。
【００３３】
＜４．２＞足場板の安定支持
図３において、下フランジ１３から外方に張り出した支持アーム３０を支軸３７と下フランジ１３の二点で支持する構造である。
そのため、足場板４０を安定した姿勢で支持できるだけでなく、足場板４０に負荷する載荷重も分散して支持できる。
特に支持アーム３０の軸支部が下フランジ１３との当接部より高い位置関係にあることから、支持アーム３０の軸支部（支軸３７）の荷重負担を大幅に軽減できると共に、片持ち構造でありながら支持アーム３０の剛性を活かして足場板４０を安全に支持できる。
【００３４】
＜５＞足場装置の解体撤去
足場装置２０の使用を終えたら重機等を必要とせず、手作業又は人力により支軸３７を抜き取るだけの簡単な作業で足場装置２０を主桁１０から切り離して撤去できる。
足場装置２０は主桁１０への組付けが簡単であるだけでなく、主桁１０からの解体撤去も簡単に行える。
【００３５】
［他の実施例］
以降に他の実施例について説明するが、その説明に際し、前記した実施例と同一の部位は同一の符号を付してその詳しい説明を省略する。
【００３６】
図６に展開時における足場板４０の張出距離を大きくした他の足場装置２０を示す。
本例の足場装置２０の基本構成及び作用効果は既述した先の実施例と同じである。
本例では足場板４０を収容する支持片３４，３４の間隔を足場板４０の横幅より広く形成すると共に、足場板４０を支持アーム３０の自由端側に偏倚させた。
足場板４０を支持アーム３０の自由端側に偏倚させることで、足場板４０の内端が下フランジ１３の外方へ間隔Ｌを隔てて離隔する。
足場板４０の両端部を押え板３５で把持して固定することは先の実施例と同様である。
【００３７】
図７に例示した帯板にスペーサ機能を有する曲げ片３５ｂを突設した押え板３５を使用すると、足場板４０の横移動を確実に規制できる。
押え板３５の曲げ片３５ｂの長さを間隔Ｌと同じ長さにしておくと、足場板４０を偏倚させて生じた支持アーム３０の空間内に曲げ片３５ｂを挿入することで足場板４０の横移動を確実に防止できる。
【００３８】
主桁１０に体の一部が触れながらでは歩行がし難いが、本例のように支持アーム３０に対して足場板４０を主桁１０から離れた位置に搭載することで、歩行がし易くなる。
足場板４０の横幅を拡張した場合と同等の効果が得られる。
【符号の説明】
【００３９】
１０・・・主桁
１１・・・主桁のウェブ
１２・・・主桁の上フランジ
１３・・・主桁の下フランジ
１４・・・下位ブラケット
１５・・・上位ブラケット
１６・・・補鋼材
２０・・・桁用足場装置
３０・・・支持アーム
３１・・・アーム本体
３２・・・基板
３３・・・起立片
３４・・・支持片
３５・・・押え板
３６・・・取付ボルト
３７・・・支軸
３８・・・連結材
４０・・・足場板
【図１】
2018048506.tif 000003
【図２】
2018048506.tif 000004
【図３】
2018048506.tif 000005
【図４】
2018048506.tif 000006
【図５】
2018048506.tif 000007
【図６】
2018048506.tif 000008
【図７】
2018048506.tif 000009
【図８】
2018048506.tif 000010